(57)【要約】【課題】  取り付けが容易で、意匠外観的に好ましく、さらに低コスト化ができる衛生設備室の散水構造を提供すること。【解決手段】  浴室ユニット１０の床面２０ｃを構成するフロアＦの周縁部に沿って形成された立上げ部２３，３１の外周面に沿って散水用配管２２を設置し、立上げ部２３，３１に複数の穴部３１ａを設けるとともに、散水用配管２２に、各穴部３１ａを通って浴室ユニット１０の内部側に延びる散水口部２１を設けた。また、サーモ機構４３を設けて、散水口部２１から浴室ユニット１０内に散水される水の温度を調節可能にした。さらに、散水口部２１からの散水を電磁弁４２の開閉によって行うようにし、電磁弁４２を開閉操作するための外部操作盤４４を浴室ユニット１０の外部に設けた。また、散水口部２１に回転機構２１ａを設けて散水の方向を変更可能にした。【選択図】  図２
2006230451.tif 000002
【特許請求の範囲】
【請求項１】
衛生設備室のフロアの周縁部に沿って形成された立上げ部の外周面に沿って給湯機や水道等に接続された散水用の配管を設置し、前記立上げ部に前記配管に接続し前記フロア上に散水可能な散水口部を設けたことを特徴とする衛生設備室の散水構造。
【請求項２】
前記散水口部を、前記フロアの周縁部に沿って複数個設けた請求項１に記載の衛生設備室の散水構造。
【請求項３】
前記配管に、温度調節手段を設け、前記散水口部から前記フロアに散水される水の温度を調節可能にした請求項１または２に記載の衛生設備室の散水構造。
【請求項４】
前記散水口部からの散水を電磁弁の開閉によって行うようにし、前記電磁弁を開閉操作するための操作部を前記衛生設備室の内部または前記衛生設備室の外部における所定の場所に設けた請求項１ないし３のうちのいずれか一つに記載の衛生設備室の散水構造。
【請求項５】
前記散水口部に散水方向変更手段を設けて、散水の方向を変更可能にした請求項１ないし４のうちのいずれか一つに記載の衛生設備室の散水構造。
【発明の詳細な説明】
【技術分野】
【０００１】
本発明は、浴室やシャワーユニット等の衛生設備室におけるフロア上に散水するための衛生設備室の散水構造に関する。
【背景技術】
【０００２】
従来から、浴室ユニット等においては、浴槽を設置するための浴槽フロアと、洗い場の床面を構成する洗い場フロアとを接続して構成される浴室用フロアが用いられている。このような浴室ユニットの中に、洗い場フロアの床面に、所定の温度に調節された湯を流して、入浴する際に、裸足で床面を歩いたときの不快感を除くようにした床面暖房装置を備えたものがある（例えば、特許文献１参照）。この床面暖房装置を備えた浴室ユニットでは、床面に緩やかな排水勾配が形成されており、その床面の傾斜の下側部分に散湯ノズルが設けられている。そして、この散湯ノズルから床面の傾斜の上側部分に向けて所定温度の湯を吹き付けることにより、湯を床面の上側部分から下側部分に流して、その湯の熱で床面を暖めるようにしている。このため、入浴者は、冷たい床面上を歩くことなく、浴室内に入ることができる。
【０００３】
また、浴槽フロアの床面に散水するための散水管を備え、この散水管から塩素水を浴槽フロアの床面に散水することにより、浴槽フロアに汚れや悪臭が発生することを防止するようにした浴室ユニットもある（例えば、特許文献２参照）。この浴室ユニットは、塩素供給装置を有する浴槽水循環除菌装置を備えており、塩素を供給しながら浴槽内の水を循環させて散水管から散水することにより、浴槽フロアを洗浄する構成になっている。
【特許文献１】特開平５−２９６４７５号公報
【特許文献２】特開２００１−６１６９９号公報
【発明の開示】
【０００４】
しかしながら、前述した従来の浴室ユニットが備える床面暖房装置や散水のための装置は、双方とも設備が大掛かりでコストが高くなるという問題がある。また、このような装置は、浴室ユニットを組み立てたのちに取り付けられるものであるため、施工作業が煩雑になるという問題もある。さらに、床面暖房装置を備えた浴室ユニットでは、散湯ノズル等の装置が、室内側に露出して意匠外観的に好ましくないという問題もある。
【０００５】
本発明は、前述した問題に対処するためになされたもので、その目的は、取り付けが容易で、意匠外観的に好ましく、さらに低コストで実現できる衛生設備室の散水構造を提供することである。
【０００６】
前述した目的を達成するため、本発明に係る衛生設備室の散水構造の構成上の特徴は、衛生設備室のフロアの周縁部に沿って形成された立上げ部の外周面に沿って給湯機や水道等に接続された散水用の配管を設置し、立上げ部に配管に接続しフロア上に散水可能な散水口部を設けたことにある。これによると、浴室やシャワーユニット等の衛生設備室におけるフロアの周縁部に形成されている立上げ部を利用して、フロアに配管を取り付けることができるため、取り付けが容易になるとともに、低コスト化が可能になる。また、立上げ部の外周面に沿って配管を設置するので衛生設備室内に配管が露出せず、意匠外観的にも好ましいものとなる。なお、この配管は、固定部材を介して着脱可能に、立上げ部の外周面に取り付けることが好ましい。これによると、配管が朽ちたり損傷したりした場合の交換作業が容易になる。また、配管を立上げ部に取り付ける際の取付作業も容易になる。
【０００７】
また、本発明に係る衛生設備室の散水構造の他の構成上の特徴は、散水口部を、フロアの周縁部に沿って複数個設けたことにある。これによると、フロアの周縁部全体から散水できるため、フロア全体に渡って散水した水が行き渡るようになる。また、フロアを浴槽フロアと洗い場フロアとで構成した場合には、浴槽フロアと洗い場フロアとの双方に散水して洗浄等を行うことができる。
【０００８】
また、本発明に係る衛生設備室の散水構造のさらに他の構成上の特徴は、配管に、温度調節手段を設け、散水口部からフロアに散水される水の温度を調節可能にしたことにある。これによると、フロアを暖房する場合や、洗浄する場合等の用途に応じて、水温を調節することができる。これによって、使用の態様が大幅に広がる。例えば、冬季の寒い時期には、湯を散水して床面や衛生設備室内を暖めることができ、夏季の暑い時期には、床面や衛生設備室内を冷やすことができる。また、床面の洗浄、汚れ防止、防黴等を行う場合には、適宜適正温度に設定することができる。
【０００９】
また、本発明に係る衛生設備室の散水構造のさらに他の構成上の特徴は、散水口部からの散水を電磁弁の開閉によって行うようにし、電磁弁を開閉操作するための操作部を衛生設備室の内部または衛生設備室の外部における所定の場所に設けたことにある。操作部を衛生設備室の外部に設けた場合には、例えば冬季の寒い時期等に、衛生設備室に入る前に、操作部を操作することによりフロアに湯を流して床面や衛生設備室内を温めることができる。これによって、入浴者が衛生設備室内に入ったときには、衛生設備室内は適温になっており、快適な入浴ができる。また、衛生設備室内を洗浄するときには、操作部を操作して散水することにより遠隔操作ができる。
【００１０】
また、本発明に係る衛生設備室の散水構造のさらに他の構成上の特徴は、散水口部に散水方向変更手段を設けて、散水の方向を変更可能にしたことにある。これによると、回転機構等の散水方向変更手段によって散水方向を任意の方向に変えることができるため、どの方向にでも散水可能になる。また、散水口部を複数個設ける場合には、その個数を小数にすることができる。
【発明を実施するための最良の形態】
【００１１】
以下、本発明に係る衛生設備室の散水構造を図面を用いて説明する。図１は、同実施形態に係る散水構造２０を備えた衛生設備室としての浴室ユニット１０を示している。この浴室ユニット１０は、浴槽１１を備えており、浴槽１１は、浴槽フロア２０ａ（図２参照）の上面に設置されている。そして、浴槽フロア２０ａの一方の縁部（浴室ユニット１０の中央側に位置する縁部）には、洗い場フロア２０ｂが接続されている。この浴槽フロア２０ａと洗い場フロア２０ｂとでフロアＦが構成され、フロアＦの周縁部に壁パネル１２ａ，１２ｂ，１２ｃ（図１における手前側の壁パネルは図示せず）が設置されている。
【００１２】
そして、壁パネル１２ａ等の上端には、天井パネル（図示せず）が掛け渡されて固定されている。浴室ユニット１０を構成する浴槽１１、フロアＦ、天井パネル等は、それぞれ樹脂の成形体で構成されている。また、壁パネル１２ａには、浴室ユニット１０と脱衣室（図示せず）との間を開閉するためのドア１２ｄが設けられている。そして、フロアＦの上面における壁パネル１２ｂに沿った部分にカウンター１３が設けられ、壁パネル１２ｂにおける浴槽１１およびカウンター１３の上方に棚１４や鏡１５が設けられている。
【００１３】
また、カウンター１３の上面における浴槽１１側部分には、水栓１６が設けられている。そして、カウンター１３の前側面における壁パネル１２ａ側部分には、シャワー１７が設けられ、その先端把持部が壁パネル１２ａに設けられた支持部１７ａに着脱可能に保持されている。また、壁パネル１２ａには、手摺１８も設けられている。そして、浴室ユニット１０の内壁面における浴槽フロア２０ａと洗い場フロア２０ｂとの水平面部分で構成される床面２０ｃの近傍部分およびカウンター１３の下端側部分に、散水構造２０が備えるシャワー状の散水口部２１（図２参照）が、所定間隔毎に複数個設けられている。
【００１４】
この散水口部２１は、図２に示した浴槽フロア２０ａと洗い場フロア２０ｂとで構成されるフロアＦの外周面および後述するカウンター１３を設置するための台部３４の下面に取り付けられた散水用配管２２，（２２ｃ）を介して設置されている。すなわち、浴槽フロア２０ａは、周縁部に略垂直方向に高く設定された立上げ部２３が形成された深い防水パンで構成されており、立上げ部２３の上端部には、水平支持部２４が形成されている。この水平支持部２４は、外側に向かって水平に延びるフランジ状に形成されており、壁パネル１２ｂと、壁パネル１２ｃおよび図１の手前側に設置される壁パネル（図示せず）の一部を支持する。また、水平支持部２４における洗い場フロア２０ｂに沿った部分は、洗い場フロア２０ｂの縁部と接続されて接続部２５を構成している。
【００１５】
また、水平支持部２４における接続部２５を除く部分の外周側縁部には、上下に延びる配管取付片２６が形成されている。この配管取付片２６は、室内側から室外側への水漏れ防止や壁パネル１２ｂ等の外側への位置ずれを防止する。また、浴槽フロア２０ａの内部側底面の四隅近傍には、浴槽１１を設置するための台状の設置部２７がそれぞれ設けられ、浴槽フロア２０ａの底部における洗い場フロア２０ｂ側部分の略中央には排水口２８が形成されている。
【００１６】
洗い場フロア２０ｂは、洗い場の床面を構成するとともにカウンター１３を設置するためのフロアである。この洗い場フロア２０ｂは、周縁部が、浴槽フロア２０ａの立上げ部２３よりも低く設定された立上げ部３１からなる浅い防水パンで構成されており、立上げ部３１における浴槽フロア２０ａに沿った部分を除く部分の上端部に、水平支持部２４と同形の水平支持部３２が形成されている。そして、立上げ部３１における浴槽フロア２０ａに沿った部分が、浴槽フロア２０ａの縁部に接続されて浴槽フロア２０ａの縁部とともに接続部２５を構成している。
【００１７】
また、水平支持部３２の上面における外周側縁部に、配管取付片２６と同形の配管取付片３３が形成されている。この水平支持部３２は、壁パネル１２ａ，１２ｂ，１２ｃ、ドアの取り付け枠等を支持する。また、洗い場フロア２０ｂの底面における壁パネル１２ｂ側部分に、カウンター１３を設置するための台部３４が形成され、台部３４に給水管等の配管を通すための穴部３５が３個形成されている。また、洗い場フロア２０ｂの床面２０ｃにおける浴槽フロア２０ａ側部分の略中央には排水口用蓋が被せられた排水口３６が設けられている。
【００１８】
そして、配管取付片２６と配管取付片３３とに、図３および図４に示したようにして、散水用配管２２が取り付けられている。なお、図３および図４は、洗い場フロア２０ｂの配管取付片３３に取り付けられた散水用配管２２を示しているが、散水用配管２２が取り付けられた浴槽フロア２０ａ側部分と洗い場フロア２０ｂ側部分とは、立上げ部２３，３１の高さが異なること以外は略等しいため、ここでは、洗い場フロア２０ｂに取り付けられた散水用配管２２を用いて説明する。
【００１９】
散水用配管２２は、所定間隔毎にねじ３８によって配管取付片３３に固定された固定部材３７に取り付けられている。固定部材３７は、ねじ挿通穴（図示せず）が形成された平面板状の固定部３７ａと、固定部３７ａの下端部に形成されたフック状の把持部３７ｂとで構成されており、把持部３７ｂ内に散水用配管２２を押し込むことにより散水用配管２２を把持している。そして、ねじ３８をねじ挿通穴に通して配管取付片３３に捩じ込むことにより、散水用配管２２を把持している固定部材３７を配管取付片３３に固定している。
【００２０】
また、立上げ部３１には、所定間隔毎に、穴部３１ａが複数個形成され、散水用配管２２における各穴部３１ａに対応する部分には、穴部３１ａを挿通する連結管２２ａがそれぞれ形成されてその先端部が立上げ部３１の内面に延びている。そして、連結管２２ａの先端部に散水口部２１が取り付けられている。この連結管２２ａの先端部と散水口部２１との間には本発明に係る散水方向変更手段としての回転機構２１ａが設けられており、散水口部２１は、回転機構２１ａを中心として任意の方向に回転可能になっている。また、散水口部２１の前面（室内側の面）には、複数の散水孔２１ｂが形成されている。さらに、穴部３１ａの周縁部と、連結管２２ａとの間には、シール用のパッキン材３９が取り付けられて止水されている。
【００２１】
同様にして、浴槽フロア２０ａの配管取付片２６にも散水用配管２２が取り付けられている。また、図５に、散水用配管２２の配管状態の概略図を示したように、散水用配管２２は、フロアＦの外周面全体に沿って設けられ、洗い場フロア２０ｂにおける壁パネル１２ｂ側の２箇所の部分に、台部３４の下面に沿って洗い場フロア２０ｂの中央側に延びる一対の連結管２２ｂが接続されている。そして、両連結管２２ｂの先端部に、台部３４の壁部に沿って延びる散水用配管２２ｃが接続されている。この散水用配管２２ｃも前述した固定方法により台部３４の壁部に取り付けられている。
【００２２】
また、散水用配管２２には、給水管４１ａおよび給湯管４１ｂを介して、電磁弁４２および本発明に係る温度調節手段としてのサーモ機構４３が接続されている。さらに、サーモ機構４３から給水管４１ｃおよび給湯管４１ｄが図示しない給湯機や水道等に接続されている。また、電磁弁４２およびサーモ機構４３は、浴室ユニット１０の外部に設置された本発明に係る操作部としての外部操作盤４４に接続されて、外部から遠隔操作ができるように構成されている。電磁弁４２は、外部操作盤４４の操作により開閉して、給水管４１ａや給湯管４１ｂから散水用配管２２に給水や給湯をしたり、その給水や給湯の停止をしたりする。
【００２３】
サーモ機構４３は、給湯管４１ｂ内を通過する水の温度を調節するためのもので、外部操作盤４４の操作により、水を所定の温度に調節する。なお、この場合の温度の設定は、外部操作盤４４の操作により行われる。また、電磁弁４２は、給水管４１ａから水を散水用配管２２に送る場合には、給水管４１ａ側を開けて、給湯管４１ｂ側を閉じ、給湯管４１ｂから湯を散水用配管２２に送る場合には、給湯管４１ｂ側を開けて、給水管４１ａ側を閉じるように制御される。
【００２４】
したがって、外部操作盤４４を操作することにより、給水の開始、停止および給水する場合の水の温度調節等を行うことができ、それに応じた水や湯が散水用配管２２，２２ｃを介して散水口部２１から図５に矢印で示した方向に散水される。また、外部操作盤４４はタイマも備えており、このタイマを設定することにより散水時間を任意の時間にすることができる。また、フロアＦの下方には排水管（図示せず）が設置されており、浴槽フロア２０ａの排水口２８と、洗い場フロア２０ｂの排水口とは、その排水管を介して外部に接続されている。
【００２５】
本発明に係る散水構造２０は、このように構成されているため、浴槽フロア２０ａや洗い場フロア２０ｂの床面２０ｃを洗浄したり、黴の発生を防止したりする場合には、浴室ユニット１０の外部で、外部操作盤４４を操作することにより、設定した温度の水を設定した時間だけ散水口部２１から散水して浴槽フロア２０ａや洗い場フロア２０ｂの床面２０ｃに流すことができる。この場合、散水口部２１の方向は、手の操作により予め任意の方向に設定しておく。これによって、浴槽フロア２０ａや洗い場フロア２０ｂの汚れは、それぞれ、散水された水に流されて、排水口２８等から排水管に流れて行く。この結果、人手を殆ど使うことなく、浴槽フロア２０ａや洗い場フロア２０ｂの洗浄や黴の発生を防止するための作業を行える。
【００２６】
また、夏季の暑い時期に、入浴する際には、入浴する前に、予め水を散水口部２１から散水して浴槽フロア２０ａや洗い場フロア２０ｂの床面２０ｃに流しておくことができる。これによると、入浴者が、洗い場フロア２０ｂに入ったときに、床面２０ｃが冷えているため、冷房効果を奏することができる。この場合、換気扇の作動と併用することで、さらにその効果が増すようになる。また、入浴後に、冷水を散水して浴室ユニット１０内の各部分を冷却することにより、黴の発生を効果的に抑えることができる。
【００２７】
また、冬季の寒い時期に、入浴する際には、入浴する前に、予め所定温度の湯を散水口部２１から散水して浴槽フロア２０ａや洗い場フロア２０ｂの床面２０ｃに流しておくことができる。これによると、入浴者が、洗い場フロア２０ｂに入ったときに、床面２０ｃが暖められているため、洗い場フロア２０ｂ上を歩くときの不快感を軽減することができる。さらに、入浴中に、温度を高くした湯を散水し続けることにより、暖房やサウナとして利用することも可能となる。
【００２８】
このように、本実施形態に係る散水構造２０では、フロアＦの周縁部に形成された立上げ部２３，３１を利用して、フロアＦの外周面に散水用配管２２が取り付けられているため、取り付け作業が容易になるとともに、構造が簡単になるため低コスト化が可能になる。また、浴室内に散水用配管２２等が露出せず、露出するのは、散水口部２１だけであるため、意匠外観的にも好ましい。さらに、散水用配管２２が、固定部材３７とねじ３８によってフロアＦに取り付けられているため、散水用配管２２が朽ちたり損傷したりした場合の交換作業が容易になる。
【００２９】
また、散水口部２１が、浴槽フロア２０ａと洗い場フロア２０ｂからなるフロアＦの周縁部全体に沿って複数個設けられているため、浴槽フロア２０ａと洗い場フロア２０ｂとの双方に散水できる。さらに、サーモ機構４３を設けて、散水口部２１から散水される水の温度を調節可能にしたため、フロアＦを暖房する場合や、洗浄する場合等の用途に応じて、水温を調節することができる。また、外部操作盤４４が、浴室ユニット１０の外部に設けられているため、遠隔操作による散水が可能になる。また、散水口部２１に回転機構２１ａを設けて、散水の方向を変更可能にしたため、どの方向にでも満遍なく散水が可能になる。また、散水口部２１の数を少なくすることもができる。
【００３０】
また、本発明は、前述した実施形態に限定するものでなく、適宜、変更実施が可能である。例えば、前述した実施形態では、浴槽フロア２０ａと洗い場フロア２０ｂとの周囲に設けられた散水用配管２２等を介して散水口部２１から同時に散水するように構成しているが、本発明に係る散水構造は、これに限定するものでなく、浴槽フロア２０ａに散水するための散水用配管と洗い場フロア２０ｂに散水するための散水用配管とを別の配管で構成することもできる。これによると、浴槽フロア２０ａと洗い場フロア２０ｂとの一方だけを選択して散水することが可能になる。
【００３１】
また、散水用配管２２は、浴槽フロア２０ａと洗い場フロア２０ｂとの周囲全体でなく任意の部分だけに設けることもできる。さらに、回転機構を手動式ではなく自動式とし、操作部により操作できる構成としたり、所定の回転動作を連続して行う構成とすることも可能である。また、前述した実施形態では、操作部を外部操作盤４４として、浴室ユニット１０の外部に設けているが、この操作部は、浴室ユニット１０の内部に設けてもよい。さらに、前述した実施形態では、浴槽フロア２０ａと洗い場フロア２０ｂとからなる浴室ユニット１０に適用しているが、浴槽フロアと洗い場フロアとが一体となった浴室ユニットや洗い場フロアと浴槽とが一体となった浴室ユニット等にも適用できる。また、浴室以外の他の衛生設備室、例えば、単一のフロアから構成されるシャワーユニット等にも適用することが可能である。さらに、散水構造を構成するその他の部分の構成についても、本発明の技術的範囲内で適宜変更して実施することができる。
【図面の簡単な説明】
【００３２】
【図１】本発明の一実施形態による浴室の散水構造を備えた浴室ユニットを示した斜視図である。
【図２】散水構造が設けられたフロアを示した斜視図である。
【図３】散水構造を示した断面図である。
【図４】散水構造を示した斜視図である。
【図５】散水用配管の配置およびそれに接続された各装置を示した説明図である。
【符号の説明】
【００３３】
Ｆ…フロア、１０…浴室ユニット、２０…散水構造、２０ａ…浴槽フロア、２０ｂ…洗い場フロア、２０ｃ…床面、２１…散水口部、２１ａ…回転機構、２１ｂ…散水孔、２２，２２ｃ…散水用配管、２３，３１…立上げ部、２６，３３…配管取付片、３１ａ…穴部、３７…固定部材、３７ａ…固定部、３７ｂ…把持部、３８…ねじ、４２…電磁弁、４３…サーモ機構、４４…外部操作盤。
【図１】
2006230451.tif 000003
【図２】
2006230451.tif 000004
【図３】
2006230451.tif 000005
【図４】
2006230451.tif 000006
【図５】
2006230451.tif 000007